(57)【要約】【課題】  キャップ本体周壁後部に形成された弾性押圧板の前方押込みで、水平ヒンジと薄肉板状ヒンジで後部を連結されてキャップ本体上面を閉塞する蓋体が開蓋可能としてワンタッチキャップにおいて、蓋板の開蓋が容易とした。【解決手段】  弾性押圧板18の左右両側に沿って脚板26を垂下させてキャップ本体へ固定させ、弾性押圧板上端左右の内方脚板部分26ａには水平ヒンジ28を、該水平ヒンジ外方の脚板部分26ｂには薄肉板状ヒンジ29を、それぞれ設け、かつ蓋板後部からは弾性押圧板18前面に沿って係合板30を垂下させて、弾性押圧板前方押込みで係合板を介して蓋板26が開蓋可能とした。【選択図】  図２
2006335404.tif 000002
【特許請求の範囲】
【請求項１】
キャップ周壁後部で形成した上縁自由端の弾性押圧板の前方押込みで、水平ヒンジと薄肉板状ヒンジとで後部を連結されてキャップ上面を閉塞する蓋体が上記両ヒンジを中心とする回動で開蓋可能に形成したワンタッチキャップにおいて、
蓋板27後端部の左右両側から弾性押圧板18の左右両側に沿って脚板26を垂下させてキャップへ固定させ、上記弾性押圧板上端左右両側の内方脚板部分26ａには水平ヒンジ28を、これ等水平ヒンジ外方の脚板部分26ｂには薄肉板状ヒンジ29を、それぞれ設け、又蓋板27の後部から係合板30を垂下させ、弾性押圧板前方押込みで係合板30を介して蓋板27が開蓋可能とした
ことを特徴とするワンタッチキャップ。
【請求項２】
上記弾性押圧板18の上端部後面へ、該押圧板前方押込みのための突条19を横設した
ことを特徴とする請求項１記載のワンタッチキャップ。
【発明の詳細な説明】
【技術分野】
【０００１】
本発明はワンタッチキャップ、やや詳しくは押圧板押込みにより容器本体上面を閉塞している蓋体を容易に開蓋可能としたものである。
【背景技術】
【０００２】
キャップ本体の周壁後部への切込み線穿設により上縁自由端の弾性押圧板を形成しておき、該押圧板の前方押込みによって水平ヒンジと台形薄肉板ヒンジとでキャップ本体に連結されて、キャップ本体上面を閉塞する蓋体が、上記両ヒンジを中心とする回動で開蓋可能としたワンタッチキャップが特許出願されている（特許文献１）。
【特許文献１】特願２００４−２３６９０号
【発明の開示】
【発明が解決しようとする課題】
【０００３】
本発明は上記特許文献発明を改良するもので、弾性押圧板前方押込みによる蓋体の開蓋が容易であると共に、弾性押圧板の前方押込みも容易としたものである。
【課題を解決するための手段】
【０００４】
第１の手段としてキャップ周壁後部で形成した上縁自由端の弾性押圧板の前方押込みで、水平ヒンジと薄肉板ヒンジとで後部を連結されてキャップ上面を閉塞する蓋体が上記両ヒンジを中心とする回動で開蓋可能に形成したワンタッチキャップにおいて、
蓋板27後端部の左右両側から弾性押圧板18の左右両側に沿って脚板26を垂下させてキャップへ固定させ、上記弾性押圧板上端左右両側の内方脚板部分26ａには水平ヒンジ28を、これ等水平ヒンジ外方の脚板部分26ｂには薄肉板状ヒンジ29を、それぞれ設けて、又蓋板27の後部から係合板30を垂下させ、弾性押圧板前方押込みで係合板30を介して蓋板27が開蓋可能とした。
【０００５】
第２の手段として、上記第１の手段を有すると共に上記弾性押圧板18の上端部後面へ、該押圧板前方押込みのための突条19を横設した。
【発明の効果】
【０００６】
請求項１記載の構成とすることで、弾性押圧板18前方押込みで蓋体後部から垂設された係合板30下部が上前方へ押込みされ、該係合板下部の上前方移動で両ヒンジを中心として回動し開蓋するから、上記係合板がレバー機能を果すこととなってその開蓋が容易である。又上記両ヒンジは、水平ヒンジ28と薄肉板状ヒンジ29とで形成するから水平ヒンジが蓋体回動の中心軸線となり、又台形薄肉板状ヒンジ29は弾性反転することとなり、よって開蓋状態において蓋体が盲動することがない。
【０００７】
請求項２のようにすることで突条19が弾性押圧板の押込み位置を定めることとなってその押圧に適する弾性押圧板の押込み位置を探したり、又誤ることがなく、又弾性押圧板が小さく、その押込みに際して指腹の外周部分が弾性押圧板外方へはみ出すような場合も上記突条を介して押圧できるからその押圧を確実に行うことが出来る。
【発明を実施するための最良の形態】
【０００８】
以下図面について説明すると、１は口頸部２を起立する容器体である。
【０００９】
11は上記容器体口頸部外面へ円筒状周壁12下半を嵌合させたキャップ本体で、該キャップ本体は、周壁12の上下方向中間部内面に前部（図２左方）を振出し筒13として、周壁上部よりも高く隆起させた仕切壁14を設けている。振出し筒の天板には複数の振出し孔15を穿設しており、又周壁後部は左右方向巾広の垂直壁16とし、該垂直壁上部の左右両部および該左右両部外方の円筒状周壁部分の後部を切欠き17してこれ等両切欠き間の垂直壁部分を弾性押圧板18とし、該押圧板上部の後面に該押圧板を前方押込みするための突条19を横設している。
【００１０】
上記キャップ本体の上部内へは、蓋付き部材21を嵌着させている。該部材は頂板22前部に上記振出し筒13上端部を嵌合させた透孔を有し、その頂板外周をキャップ本体周壁12の上端面上へ載置させて該頂板外周の後部を除く頂板外周の内方部分から嵌合短筒を垂下させてキャップ本体周壁上部内面へ嵌合させている。又頂板上面の前後方向中間部は、図４が示すようにその前端から後端まで帯状の凹部23としており、又該凹部の後部を開口24させて該開口前縁から縦壁25を垂下させて、該縦壁下端へ付設した係合板をキャップ本体の仕切り壁14の後部上面へ載置させ、又上記開口左右両部からは図１が示すように横断面へ字形状の脚板26を垂下させて、これ等両脚板を既述キャップ本体周壁後部左右の切欠き17内へ嵌合させている。
【００１１】
上記凹部23後方の両脚板間は開口され、該開口部分内へ弾性押圧板18が嵌合し、又上記両脚板26上端から、既述凹部23内へ着脱自在に嵌合させて、蓋板27を前方へ突出させている。上記両脚板は、横断面へ字形状に２つの脚板部分26ａ、26ｂを連続させて形成してその内方脚板部分26ａは後方へ向け、外方脚板部分26ｂは前外方へ向けて垂下させ、これ等脚板上端の、内方脚板部分26ａ上端は水平ヒンジ28、又外方脚板部分26ｂ上端へは前外方を巾広とする台形状の弾性を有する薄肉板状ヒンジ29を介して上記蓋板27を突出させている。該薄肉板状ヒンジはその内方側面を切離線として帯状とすることもできる。尚上記両脚板26の外方脚板部分26ｂの断面形状は曲面状等薄肉板状ヒンジの弾性反転が可能な範囲であればどのような形状としてもよい。
【００１２】
又図２が示すように、蓋板27の後部からは弾性押圧板18前面に沿って係合板30を垂下させており、その弾性押圧板18を前方へ押込みすると、図３が示すように係合板30が前方へ押され、すると既述水平ヒンジ28、薄肉板状ヒンジ29を中心として蓋板27が回動することで開蓋するよう設けている。蓋板前部の下面には閉蓋時に既述振出し孔へ嵌合する突子31を付設している。
【００１３】
尚20はキャップ本体に付設された補強板である。
【００１４】
既述実施形態にあっては蓋板27を前後方向へ長く帯状に形成したが、キャップ本体上面全体を覆合可能に形成してもよい。
【図面の簡単な説明】
【００１５】
【図１】本発明キャップを後方側からみた斜視図である。
【図２】図１キャップの断面図である。
【図３】開蓋状態で示す、キャップの断面図である。
【図４】開蓋状態で示す、キャップの平面図である。
【符号の説明】
【００１６】
11  キャップ本体                    12  周壁
17  切欠き                          18  弾性押圧板
21  蓋付き部材                      22  頂板
26  脚板                            27  蓋板
28  水平ヒンジ                      29  薄肉板状ヒンジ
30  係合板                                        
【図１】
2006335404.tif 000003
【図２】
2006335404.tif 000004
【図３】
2006335404.tif 000005
【図４】
2006335404.tif 000006